【手続補正書】
【提出日】平成16年1月6日(2004.1.6)
【手続補正１】
【補正対象書類名】特許請求の範囲
【補正対象項目名】全文
【補正方法】変更
【補正の内容】
【特許請求の範囲】
【請求項１】
複数のセルを含み、前記複数のセルの過半が長軸及び短軸を有し、
前記複数のセルの長軸の実質的にすべてが、真空成形フィルムのストローク方向に実質的に整列し、
真空成形フィルムのロフトの開口面積に対する比が約９より大きい、
真空成形フィルム。
【請求項２】
約１グラム未満のリウェットを有する、請求項１に記載の真空成形フィルム。
【請求項３】
前記複数のセルが、前記複数のセルの間の領域内にストローク方向のランド及び横方向のランドを画定し、
前記ストローク方向のランドの少なくとも一部が、前記横方向のランドに対して隆起している、
請求項１に記載の真空成形フィルム。
【請求項４】
前記複数のセルが、前記複数のセルの間の領域内にランドを画定し、
絹の触感を真空成形フィルムにもたせるために、マイクロリッジが前記ランド上に配置されている、
請求項１に記載の真空成形フィルム。
【請求項５】
メッシュカウントが約２５より大きい、請求項１に記載の真空成形フィルム。
【請求項６】
複数のセルを含み、前記複数のセルの過半が長軸及び短軸を有し、
前記複数のセルの長軸の実質的にすべてが、真空成形フィルムのストローク方向に実質的に整列している、
真空成形フィルム。
【請求項７】
真空成形フィルムのロフトの開口面積に対する比が約９より大きい、請求項６に記載の真空成形フィルム。
【請求項８】
約１グラム未満のリウェットを有する、請求項６に記載の真空成形フィルム。
【請求項９】
前記複数のセルが、前記複数のセルの間の領域内にストローク方向のランド及び横方向のランドを画定し、
前記ストローク方向のランドの少なくとも一部が、前記横方向のランドに対して隆起している、
請求項６に記載の真空成形フィルム。
【請求項１０】
前記複数のセルが、前記複数のセルの間の領域内にランドを画定し、
絹の肌触りを真空成形フィルムにもたせるために、マイクロリッジが前記ランド上に配置されている、
請求項６に記載の真空成形フィルム。
【請求項１１】
メッシュカウントが、約２５より大きい、請求項６に記載の真空成形フィルム。
【請求項１２】
複数のセルを含み、前記複数のセルの過半が長軸及び短軸を有し、
約１グラム未満のリウェットを有する、
真空成形フィルム。
【請求項１３】
真空成形フィルムのロフトの開口面積に対する比が約９より大きい、請求項１２に記載の真空成形フィルム。
【請求項１４】
前記複数のセルの長軸が、実質的に真空成形フィルムの機械装置方向に実質的に整列している、請求項１２に記載の真空成形フィルム。
【請求項１５】
前記複数のセルが、セルの間の領域内にストローク方向のランド及び横方向のランドを画定し、
前記ストローク方向のランドの少なくとも一部が、前記横方向のランドに対して隆起している、
請求項１２に記載の真空成形フィルム。
【請求項１６】
前記複数のセルが、前記複数のセルの間の領域内にランドを画定し、
絹の触感を真空成形フィルムにもたせるために、マイクロリッジが前記ランド上に配置されている、
請求項１２に記載の真空成形フィルム。
【請求項１７】
メッシュカウントが約２５より大きい、請求項１２に記載の真空成形フィルム。
【請求項１８】
複数のセルの間の領域内にストローク方向のランド及び横方向のランドを画定する前記複数のセルを含み、
前記ストローク方向のランドの過半が、前記横方向のランドに対して隆起している、
真空成形フィルム。
【請求項１９】
真空成形フィルムのロフトの開口面積に対する比が約９より大きい、請求項１８に記載の真空成形フィルム。
【請求項２０】
複数のセルの少なくとも一部が長軸及び短軸を有し、
前記複数のセルの長軸が、実質的に真空成形フィルムのストローク方向に整列している、
請求項１８に記載の真空成形フィルム。
【請求項２１】
前記複数のセルの少なくとも一部が長軸及び短軸を有し、
前記複数のセルの長軸が、実質的に整列し、
約１グラム未満のリウェットを有する、
請求項１８に記載の真空成形フィルム。
【請求項２２】
絹の触感を真空成形フィルムにもたせるために、マイクロリッジが前記ランド上に配置されている、請求項１８に記載の真空成形フィルム。
【請求項２３】
メッシュカウントが約２５より大きい、請求項１８に記載の真空成形フィルム。
【請求項２４】
複数のセルを含み、前記複数のセルの過半が長軸及び短軸を有し、
前記複数のセルの長軸の実質的にすべてが、実質的に整列し、
メッシュカウントが約２５より大きい、
真空成形フィルム。
【請求項２５】
真空成形フィルムのロフトの開口面積に対する比が約９より大きい、請求項２４に記載の真空成形フィルム。
【請求項２６】
前記複数のセルの長軸が、実質的に真空成形フィルムのストローク方向に整列している、請求項２４に記載の真空成形フィルム。
【請求項２７】
約１グラム未満のリウェットを有する、請求項２４に記載の真空成形フィルム。
【請求項２８】
前記複数のセルが、前記複数のセル間の領域内にストローク方向のランド及び横方向のランドを画定し、
前記ストローク方向のランドの少なくとも一部が、前記横方向のランドに対して隆起している、
請求項２４に記載の真空成形フィルム。
【請求項２９】
前記複数のセルが、前記複数のセルの間の領域内にランドを画定し、
絹の触感を真空成形フィルムにもたせるために、マイクロリッジが前記ランド上に配置されている、
請求項２４に記載の真空成形フィルム。
【請求項３０】
セルの間の領域にランドを画定する複数のセルを含む三次元フィルムと、
中心と中心の間隔が約５０μｍ〜約１００μｍ、高さが約５μｍ〜約７５μｍであって、長さ及び幅を有する、ランド上のマイクロリッジとを備え、
複数の前記マイクロリッジが、それぞれその長さがその幅より実質的に大きく、前記複数のマイクロリッジが、その長さに沿って実質的に平行である、
使い捨ての吸収性物品において使用するための真空成形フィルム。
【請求項３１】
絹の触感の格付けが４未満である、請求項３０に記載のフィルム。
【請求項３２】
ロフトの開口面積に対する比が約９より大きい、請求項３０に記載のフィルム。
【請求項３３】
１グラム未満のリウェットを有する、請求項３０に記載のフィルム。
【請求項３４】
前記複数のマイクロリッジが、機械装置方向から５°〜８０°の角度でオフセットされる、請求項３０に記載のフィルム。
【請求項３５】
前記複数のマイクロリッジの各々が、前記複数のマイクロリッジの各々から互いに分離され、不連続である、請求項３０に記載のフィルム。
【請求項３６】
直接溶融真空成形フィルムである、請求項３０に記載のフィルム。
【請求項３７】
セルの間の領域にランドを画定する複数のセルを含む三次元フィルムと、
高さが約５μｍ〜約７５μｍであって、長さ及び幅を有する、前記ランド上のマイクロリッジとを備え、
複数の前記マイクロリッジが、それぞれその長さがその幅より実質的に大きく、
絹の触感の格付けが５未満である、
使い捨ての吸収性物品において使用するための真空成形フィルム。
【請求項３８】
前記複数のマイクロリッジが、その長さに沿って実質的に平行であり、機械装置方向から５°〜８０°の角度でオフセットされる、請求項３０に記載のフィルム。
【請求項３９】
セルの間の領域でランドを画定し、前記セルが各々長軸及び短軸を有し、前記長軸対前記短軸の比が約１．０５：１と約６．５：１の間であり、前記長軸が実質的に真空成形フィルムのストローク方向に整列し、前記セルの端部が丸みを付けられている、複数のボート形セルと、
ストローク方向に対して直角に測定して、直線２．５４ｃｍ（１インチ）あたり２５セルより大きいメッシュと、
前記ランド上のマイクロテクスチャとを含む、
真空成形フィルム。
【請求項４０】
約１グラム未満のリウェットを有する、請求項３９に記載の真空成形フィルム。
【請求項４１】
前記ボート形セルが、丸みを付けた側部を有する、請求項３０に記載の真空成形フィルム。
【請求項４２】
前記ボート形セルが、実質的に真直な側部を有する、請求項３９に記載の真空成形フィルム。
【請求項４３】
真空成形フィルムが、ストローク方向に対して直角に測定して、直線２．５４ｃｍ（１インチ）あたり約４０セルのメッシュカウントを有する、請求項３０に記載の真空成形フィルム。
【請求項４４】
複数の前記長軸対前記短軸の比が約１．７５：１である、請求項３０に記載の真空成形フィルム。
【請求項４５】
前記セルが、普通整列パターンで整列している、請求項３９に記載の真空成形フィルム。
【請求項４６】
前記セルが、互い違いのパターンで整列している、請求項３９に記載の真空成形フィルム。
【請求項４７】
直接溶融真空成形フィルムである、請求項３９に記載の真空成形フィルム。
【請求項４８】
直接溶融真空成形フィルムであり、
複数の前記長軸対前記短軸の比が約１．７５：１であり、
ストローク方向に対して直角に測定して、直線２．５４ｃｍ（１インチ）あたり約４０セルのメッシュカウントを有し、
１グラム未満のリウェットを有する、
請求項３９に記載の真空成形フィルム。
【請求項４９】
前記マイクロテクスチャが、長さ及び幅を有するマイクロリッジである、請求項３９に記載の真空成形フィルム。
【請求項５０】
前記マイクロリッジが、中心と中心の間隔が約５０μｍ〜約１５０μｍ、かつ高さが約５μｍ〜約７５μｍであり、
複数の前記マイクロリッジの長さが、それぞれその幅より大きく、前記複数のマイクロリッジが、実質的にその長さに沿って平行である、
請求項４９に記載の真空成形フィルム。
【請求項５１】
前記マイクロテクスチャが、ランダムなつや消しパターンである、請求項３９に記載の真空成形フィルム。
【請求項５２】
絹の触感の格付けが５未満である、請求項３９に記載の真空成形フィルム。